(57)【要約】【課題】サッシュにグラスラン本体を装着する作業をなくすと共に、ブラケットへの取付を容易にして組付作業を容易にし、かつグラスランの重量を軽減させると共に、押出成形時の曲げ加工を容易にし、窓ガラスを安定して保持することができるグラスランを提供する。【解決手段】グラスラン１は、底壁１ａと、底壁両端の側壁１ｂとからなる断面略コ字形の高剛性の硬質ゴム又は樹脂より形成され、側壁端には窓ガラス１２に弾接する軟質ゴム又は樹脂よりなるリップ２、３を有し、また芯金４の断面Ｌ形部材４ａが一方の側壁１ｂと底壁１ａの一部に埋設され、側壁１ｂの延長上にグラスラン１より外側に突出する部分が取付部４ｂとなり、ドアパネル１７に取着のブラケット５に溶接にて取付けられる。ブラケット５は、受け部材６を一体形成し、グラスラン１を支持する。【選択図】図２
2005254950.tif 000002
【特許請求の範囲】
【請求項１】
底壁１ａと、底壁両端の側壁１ｂとからなる断面略コ字形のゴム又は樹脂より形成されると共に、側壁端には昇降可能な窓ガラスの側縁に弾接するリップ２、３を備え、両側壁１ｂのうちの少なくとも一方及び／または底壁１ａには芯金４が埋設ないし添着され、芯金４の一部はグラスラン１より外側に突出して被取付部材５、８への取付部４ｂを構成することを特徴とする自動車用ドアのグラスラン。
【請求項２】
高剛性のゴム又は樹脂製で、リップ２、３が軟質材よりなることを特徴とする請求項１記載の自動車用ドアのグラスラン。
【請求項３】
芯金４が断面Ｌ形部材４ａを有して両側壁１ｂのうちの一方と底壁１ａの一部に埋設ないし添着されることを特徴とする請求項１又は２記載の自動車用ドアのグラスラン。
【請求項４】
被取付部材がブラケット５、８で、該ブラケット５、８は芯金４が埋設ないし添着される一方の側壁１ｂに沿って伸び、該側壁１ｂを支持する受け部材６を有することを特徴とする請求項３記載の自動車用ドアのグラスラン。
【発明の詳細な説明】
【技術分野】
【０００１】
本発明は、自動車用ドアの窓ガラスを案内するグラスランに関する。
【背景技術】
【０００２】
図５に示すような自動車用ドア１１には一般に、窓ガラス１２の側縁を案内し、シールするグラスランが設けられている。図６はその一例を示すもので、鋼材より形成され、断面が略コ字形をなすサッシュ１３と、サッシュ１３に嵌挿されるグラスラン本体１４からなり、グラスラン本体１４は断面略コ字形をなしてＥＰＤＭ等のゴム又は樹脂で形成され、開口端には窓ガラス１２の表裏面に弾接してシールするリップ１５、１６を備えている。
【０００３】
図７は、図５に示す自動車用ドア１１のドア本体１１ａ内部におけるグラスランのロアサッシュ部分ａを示すもので、ロアサッシュ部分ａは図７に示すように側面視で窓ガラス１２の曲面に合わせて湾曲し、その端末には、図８に示すようにドアパネル１７への組付けのためネジ孔１８を備えたブラケット１９がサッシュ１３に溶接にて取付けられている。
【０００４】
また下記特許文献１には、図１０に示すようにグラスランを断面略コ字形をなす芯金２１と、該芯金２１の窓ガラスの表裏面に対向する部位と、窓ガラスの端部に対向する部位とに部分的に一体成形したリップ部２２、２３とより構成し、従来のようにグラスラン本体をロアサッシュに装着する作業をなくして組付け作業を容易にし、また芯金２１を固定するブラケット２４との接合部位において芯金２１を露出し、ブラケット２４へのスポット溶接作業を容易にしたグラスランが開示されている。
【特許文献１】特開平５−１１６５３４号
【発明の開示】
【発明が解決しようとする課題】
【０００５】
上述するように従来のグラスランは、サッシュ１３が鋼材製のため重量が嵩む難点がある。上述の特許文献１に開示されるグラスランもゴム等からなるグラスラン本体は、部分的に設けられているだけであるから、グラスラン本体の材料費は軽減されるにしても、芯金２１は鋼材製であるから重量の軽減効果は期待することができない。
【０００６】
また従来のグラスランは、特許文献１に開示されるグラスランも同様であるが、ブラケット１９、２４へのスポット溶接に際しては、図９に示すようにサッシュ１３に電極２６、２７のうちの一方２６を差込んで行うが、サッシュ内の狭い空間内でこうした溶接作業を行うのは容易でない。
【０００７】
またロアサッシュ部分ａは、図７に示すように窓ガラス１２の曲面に合わせて湾曲させているが、鋼材製のサッシュ１３を湾曲加工するのは容易でない。
【０００８】
本発明は、重量を軽減すると共に、被取付部材への取付や曲げ加工を容易にした自動車用ドアのグラスランを提供することを目的とする。
【課題を解決するための手段】
【０００９】
請求項１に係る発明のグラスランは、底壁と、底壁両端の側壁とからなる断面略コ字形のゴム又は樹脂より形成されると共に、側壁端には昇降可能な窓ガラスの側縁に弾接するリップを備え、両側壁のうちの少なくとも一方及び／または底壁には芯金が埋設ないし添着され、芯金の一部はグラスランより外側に突出して被取付部材への取付部を構成することを特徴とする。
【００１０】
本発明の被取付部材は、ドアフレームやドアフレームに取着のブラケットで、取付部は被取付部材に溶接にて取着されるが、ネジにて止着してもよい。
【００１１】
請求項２に係る発明は、請求項１に係る発明のグラスランが高剛性のゴム又は樹脂製で、リップが軟質材よりなることを特徴とする。
ここで高剛性のゴム又は樹脂は、曲げ応力が２８ＭＰａ〜３８ＭＰａの範囲内であることが好ましい。曲げ応力が２８ＭＰａ未満であると、芯金が挿入されていない部分の剛性が不足し、断面変形しやすくなる。また曲げ応力が３８ＭＰａを超えるものは、材料を製造することが困難であり、実用的でない。
【００１２】
また請求項３に係る発明は、請求項１又は２に係る発明において、芯金が断面Ｌ形部材を有して両側壁のうちの一方と底壁の一部に埋設ないし添着されることを特徴とし、
請求項４に係る発明は、請求項３に係る発明において、被取付部材がブラケットで、該ブラケットは芯金が埋設ないし添着される一方の側壁に沿って伸び、該側壁を支持する受け部材を有することを特徴とする。
【発明の効果】
【００１３】
請求項１に係る発明のグラスランによると、ロアサッシュを不要にできるため、従来のグラスランのようにロアサッシュにグラスラン本体を装着する作業をなくして組付作業を容易にできること、グラスランは大半がゴム又は樹脂で形成され、芯金はグラスランの一部に設けられているだけであり、取付部を含めても従来のサッシュに比べ重量が小さく、グラスランの重量を軽減できること、芯金を側壁のみに設けた場合、グラスランをロアサッシュ部分に設けるため、図７に示すように窓ガラスの曲面に合わせて湾曲加工する必要がある際には、湾曲加工が容易であり、押出成形時に曲げ加工を行うことができること、芯金を底壁にのみ設けた場合、グラスランを図５の窓枠２９に取付けるため、窓枠２９の湾曲に合わせた湾曲加工が容易にできること、取付部はグラスランより外側に突出しているため、被取付部材へ例えば溶接するにしてもネジ止めするにしても図９に示す従来法のように、グラスラン内側の狭いスペースの中で取付作業を行うよりも取付作業が容易に行えること、芯金によってグラスランを保形し、型崩れを起こし難いこと等の効果を奏する。
【００１４】
請求項２に係る発明のグラスランによると、ゴム又は樹脂製であっても高剛性であることにより変形しにくいため、従来のグラスランと同様、窓ガラスを支障なく支持して案内することができ、またリップは軟質材であるため、窓ガラスに弾接してシールすることができる。
【００１５】
請求項３に係る発明のグラスランによると、芯金のＬ形部材が側壁と底壁の一部に埋設ないし添設されているため、一方の側壁と底壁との形状を保持して窓ガラスを安定して支持することができると共に、底壁にはその一部に芯金が埋設ないし添設されているだけであるから、図７に示すように窓ガラスの曲面に合わせた湾曲加工が容易にできる。
【００１６】
請求項４に係る発明のグラスランによると、芯金に沿って伸びる受け部材によりグラスランがより変形しにくくなり、窓ガラスをより一層安定して支持することができる。
【発明を実施するための最良の形態】
【００１７】
以下、本発明の一実施形態について図面に従って説明する。図中、図５〜図９に示すものと同一構造をなすものは、同一符号で示してある。
【００１８】
図１は、本発明に係るグラスラン１の断面を示すもので、このグラスラン１は底壁１ａと、底壁１ａ両端の側壁１ｂとからなる断面略コ字形の高剛性の硬質ゴム又は樹脂より形成され、側壁端には窓ガラス１２に弾接する、軟質のゴム又は樹脂よりなるリップ２及び３を有し、一対の断面Ｌ形部材４ａの短辺同志を背中合わせに組合せた形態をなす芯金４の一側の断面Ｌ形部材４ａが一方の側壁１ｂと底壁１ａの一部に埋設され、他側の断面Ｌ形部材４ａの長辺が側壁１ｂの延長上にグラスラン１より外側に突出して取付部４ｂとなっている。
【００１９】
図２は、図５に示す自動車用ドア１１のドア本体１１ａ内部に設けられるグラスラン１のロアサッシュ部分の端末部分を示すもので、ドアパネル１７に溶接にて取付けられるブラケット５に芯金４の取付部４ｂが溶接にて取付けられるようになっている。
【００２０】
図３は、ブラケット５に側壁１ｂに沿って延びる受け部材６を一体形成し、該受け部材６でグラスラン１を支持するようになっている。
【００２１】
図４は、図１に示すグラスラン１を図５に示す自動車用ドア１１の窓枠２９のブラケット８に取付けた例を示すもので、グラスラン１の取付部４ｂが窓枠２９のブラケット８に溶接にて取付けられるようになっている。
【産業上の利用可能性】
【００２２】
本発明のグラスランは、自動車用ドアのドア本体内部におけるロアサッシュ部分に用いられるほか、自動車用ドアの窓枠部分にも用いることができる。
【図面の簡単な説明】
【００２３】
【図１】本発明に係るグラスランの断面図。
【図２】図１に示すグラスランのロアサッシュ部分の端末構造の断面図。
【図３】図１に示すグラスランが取付けられるブラケットの別の態様を示す断面図。
【図４】図１に示すグラスランを窓枠のブラケットに取付けた断面図。
【図５】自動車用ドアの正面図。
【図６】従来のグラスランの断面図。
【図７】従来のグラスランのロアサッシュ部分の側面図。
【図８】図７のＡ−Ａ線における断面図。
【図９】サッシュをブラケットへスポット溶接するときの態様を示す図。
【図１０】従来のグラスランの別の例を示す断面図。
【符号の説明】
【００２４】
１・・グラスラン
１ａ・・底壁
１ｂ・・側壁
２、３、１５、１６・・リップ
４、２１・・芯金
４ａ・・断面Ｌ形部材
４ｂ・・取付部
５、８、１９・・ブラケット
６・・受け部材
１１・・自動車用ドア
１２・・窓ガラス
１３・・ロアサッシュ
１４・・グラスラン本体
１７・・ドアパネル
１８・・ネジ孔
２６、２７・・電極
２９・・窓枠
【図１】
2005254950.tif 000003
【図２】
2005254950.tif 000004
【図３】
2005254950.tif 000005
【図４】
2005254950.tif 000006
【図５】
2005254950.tif 000007
【図６】
2005254950.tif 000008
【図７】
2005254950.tif 000009
【図８】
2005254950.tif 000010
【図９】
2005254950.tif 000011
【図１０】
2005254950.tif 000012